(57)【要約】【課題】着信要求を受け付けた場合に、無線通信以外の制御を行う機能を制御し、着信時の接続成功率を向上させることが可能な無線装置を提供する。【解決手段】無線装置（１０１）は、無線通信の制御を行う無線回路（２０１）と、無線通信以外の制御を行う機能回路（３０１）と、を有し、着信要求を受け付けた場合に、機能回路（３０１）を制御することを特徴とする。【選択図】図１
2008177776.tif 000002
【特許請求の範囲】
【請求項１】
無線通信を行う無線装置であって、
無線通信の制御を行う第１の制御手段と、
無線通信以外の制御を行う第２の制御手段と、
着信要求を受け付けた場合に、前記第２の制御手段を制御する第３の制御手段と、を有することを特徴とする無線装置。
【請求項２】
前記第３の制御手段は、前記第２の制御手段による制御を停止することを特徴とする請求項１記載の無線装置。
【請求項３】
前記第３の制御手段は、前記第２の制御手段を制御するためのクロック周波数を低い周波数に変更することを特徴とする請求項１記載の無線装置。
【請求項４】
前記第３の制御手段は、前記第２の制御手段を制御するためのクロック周波数を、前記クロック周波数の高調波と、前記無線装置が受信する電波の受信周波数帯と、が重複しない周波数に変更することを特徴とする請求項１記載の無線装置。
【請求項５】
前記第３の制御手段は、前記第２の制御手段による制御の動作時間を低減することを特徴とする請求項１記載の無線装置。
【請求項６】
前記第３の制御手段は、前記無線装置が受信する電波の受信レベルが基準値以下の場合に、前記第２の制御手段を制御することを特徴とする請求項１から５の何れか１項に記載の無線装置。
【請求項７】
前記第３の制御手段は、無線通信中において、前記無線装置が受信する電波の受信レベルが基準値以下でない場合には、前記第２の制御手段を制御する前の元の状態に戻し、前記無線装置が受信する電波の受信レベルが基準値以下の場合には、前記第２の制御手段を制御することを特徴とする請求項６記載の無線装置。
【請求項８】
前記第２の制御手段を複数有し、
前記第３の制御手段は、前記受信レベルに応じて、前記第２の制御手段を制御する数を変更することを特徴とする請求項６または７記載の無線装置。
【請求項９】
前記受信レベルに応じて制御する前記第２の制御手段の優先順位を設定する設定手段を有することを特徴とする請求項８記載の無線装置。
【請求項１０】
前記第２の制御手段は、無線通信に悪影響を与える雑音を発生させる機能回路であることを特徴とする請求項１から９の何れか１項に記載の無線装置。
【請求項１１】
無線通信の制御を行う第１の制御手段と、無線通信以外の制御を行う第２の制御手段と、を有する無線装置で行う通信制御方法であって、
着信要求を受け付けた場合に、前記第２の制御手段を制御する制御工程を、前記無線装置が行うことを特徴とする通信制御方法。
【請求項１２】
無線通信の制御を行う第１の制御手段と、無線通信以外の制御を行う第２の制御手段と、を有する無線装置において実行させる通信制御プログラムであって、
着信要求を受け付けた場合に、前記第２の制御手段を制御する制御処理を、前記無線装置に実行させることを特徴とする通信制御プログラム。
【発明の詳細な説明】
【技術分野】
【０００１】
本発明は、無線装置、通信制御方法及び通信制御プログラムに関し、特に、ブラウザ、ＴＶ視聴機能、音楽再生機能、ＧＰＳなど、複数の機能を搭載した無線装置において、着信時の接続成功率を向上させることが可能な無線装置、通信制御方法及び通信制御プログラムに関するものである。
【背景技術】
【０００２】
近年、携帯電話機等の無線装置は、無線機としての電話機能だけでなく、ブラウザ、ＴＶ視聴機能、音楽再生機能、ＧＰＳなど、複数の機能を搭載するように構成されている。
【０００３】
しかしながら、上述した機能は、動作時に雑音を発生するため、その雑音の影響により、電波の受信レベルが低い環境下では、着信があっても接続できない、あるいは、通信中に切断するという事態が発生してしまうことになる。
【０００４】
このため、着信があっても接続できない、あるいは、通信中に切断するという事態を回避するための機能が搭載された無線装置の開発が要望視されることになる。
【０００５】
なお、本発明より先に出願された技術文献として、電界強度が弱い場合や多重放送がない場合にはＦＭ多重デコーダの動作を停止し、ＦＭ多重デコーダから発生するノイズをなくして、ＦＭ受信部の受信品質の向上を図ったＦＭ多重放送受信機について開示された文献がある（例えば、特許文献１参照）。
【０００６】
また、放送波から選局放送信号を選局するチューナと、このチューナからの前記選局放送信号を復号して映像データ及び音声データを再生するデコーダ手段と、このデコーダ手段へクロック信号を供給するクロック手段と、前記クロック信号の供給を制御する制御手段とを有した携帯デジタル放送受信機であって、前記チューナは、前記放送波の受信レベルを検出し、前記制御手段は、前記チューナからの前記受信レベルの値が基準レベルの値より小さいときに、前記デコーダ手段への前記クロックの供給を停止し、前記デコーダ手段以降の動作を停止し、正常な出力が得られない場合に内部回路で発生する無駄な電力消費を抑制する携帯デジタル放送受信機について開示された文献がある（例えば、特許文献２参照）。
【特許文献１】特開平１０−１０７６６４号公報
【特許文献２】特開２００３−１５８６９１号公報
【発明の開示】
【発明が解決しようとする課題】
【０００７】
なお、上記特許文献１には、電界強度が弱い場合や多重放送がない場合にはＦＭ多重デコーダの動作を停止し、ＦＭ多重デコーダから発生するノイズをなくす点について記載されているが、着信要求を受け付けた場合に、無線通信以外の制御を行う機能を制御することについては何ら記載もその必要性についても示唆さていない。
【０００８】
また、上記特許文献２には、チューナからの受信レベルの値が基準レベルの値より小さいときに、デコーダ手段へのクロックの供給を停止し、デコーダ手段以降の動作を停止する点について記載されているが、着信要求を受け付けた場合に、無線通信以外の制御を行う機能を制御することについては何ら記載もその必要性についても示唆さていない。
【０００９】
本発明は、上記事情に鑑みてなされたものであり、着信要求を受け付けた場合に、無線通信以外の制御を行う機能を制御し、着信時の接続成功率を向上させることが可能な無線装置、通信制御方法及び通信制御プログラムを提供することを目的とするものである。
【課題を解決するための手段】
【００１０】
かかる目的を達成するために、本発明は、以下の特徴を有することとする。
【００１１】
本発明にかかる無線装置は、無線通信を行う無線装置であって、無線通信の制御を行う第１の制御手段と、無線通信以外の制御を行う第２の制御手段と、着信要求を受け付けた場合に、第２の制御手段を制御する第３の制御手段と、を有することを特徴とする。
【００１２】
また、本発明にかかる無線装置において、第３の制御手段は、第２の制御手段による制御を停止することを特徴とする。
【００１３】
また、本発明にかかる無線装置において、第３の制御手段は、第２の制御手段を制御するためのクロック周波数を低い周波数に変更することを特徴とする。
【００１４】
また、本発明にかかる無線装置において、第３の制御手段は、第２の制御手段を制御するためのクロック周波数を、クロック周波数の高調波と、無線装置が受信する電波の受信周波数帯と、が重複しない周波数に変更することを特徴とする。
【００１５】
また、本発明にかかる無線装置において、第３の制御手段は、第２の制御手段による制御の動作時間を低減することを特徴とする。
【００１６】
また、本発明にかかる無線装置において、第３の制御手段は、無線装置が受信する電波の受信レベルが基準値以下の場合に、第２の制御手段を制御することを特徴とする。
【００１７】
また、本発明にかかる無線装置において、第３の制御手段は、無線通信中において、無線装置が受信する電波の受信レベルが基準値以下でない場合には、第２の制御手段を制御する前の元の状態に戻し、無線装置が受信する電波の受信レベルが基準値以下の場合には、第２の制御手段を制御することを特徴とする。
【００１８】
また、本発明にかかる無線装置は、第２の制御手段を複数有し、第３の制御手段は、受信レベルに応じて、第２の制御手段を制御する数を変更することを特徴とする。
【００１９】
また、本発明にかかる無線装置は、受信レベルに応じて制御する第２の制御手段の優先順位を設定する設定手段を有することを特徴とする。
【００２０】
また、本発明にかかる無線装置において、第２の制御手段は、無線通信に悪影響を与える雑音を発生させる機能回路であることを特徴とする。
【００２１】
また、本発明にかかる通信制御方法は、無線通信の制御を行う第１の制御手段と、無線通信以外の制御を行う第２の制御手段と、を有する無線装置で行う通信制御方法であって、着信要求を受け付けた場合に、第２の制御手段を制御する制御工程を、無線装置が行うことを特徴とする。
【００２２】
また、本発明にかかる通信制御プログラムは、無線通信の制御を行う第１の制御手段と、無線通信以外の制御を行う第２の制御手段と、を有する無線装置において実行させる通信制御プログラムであって、着信要求を受け付けた場合に、第２の制御手段を制御する制御処理を、無線装置に実行させることを特徴とする。
【発明の効果】
【００２３】
本発明によれば、着信要求を受け付けた場合に、無線通信以外の制御を行う機能を制御し、着信時の接続成功率を向上させることが可能となる。
【発明を実施するための最良の形態】
【００２４】
まず、図１を参照しながら、本実施形態の無線装置の特徴について説明する。
【００２５】
本実施形態における無線装置（１０１）は、無線通信の制御を行う第１の制御手段（無線回路２０１に該当）と、無線通信以外の制御を行う第２の制御手段（機能回路３０１に該当）と、を有する無線装置である。そして、無線装置（１０１）は、着信要求を受け付けた場合に、第２の制御手段（３０１）を制御することを特徴とする。
【００２６】
これにより、着信要求を受け付けた場合に、無線通信以外の制御を行う機能（３０１）を制御し、着信時の接続成功率を向上させることが可能となる。以下、添付図面を参照しながら、本実施形態における無線装置（１０１）について詳細に説明する。
【００２７】
（第１の実施形態）
＜無線装置１０１の構成＞
まず、図１を参照しながら、本実施形態の無線装置（１０１）の構成について説明する。
【００２８】
本実施形態における無線装置（１０１）は、アンテナ（♯１）と、無線回路（２０１）と、制御回路（２０２）と、機能回路（３０１）と、を有して構成している。
【００２９】
アンテナ（＃１）は、基地局からの電波を受信し、該受信した電波を無線回路（２０１）に出力する。また、無線回路（２０１）で生成した送信波を基地局に向けて放射する。
【００３０】
無線回路（２０１）は、アンテナ（＃１）で受信した電波の復号処理を行い、元の信号に復調する。また、送信波を生成し、該生成した送信波をアンテナ（＃１）から放射する。
【００３１】
制御回路（２０２）は、無線回路（２０１）や機能回路（３０１）の制御を行う。
【００３２】
例えば、制御回路（２０２）は、着信を受け付けた場合に、無線装置（１０１）が受信した電波の受信レベルが基準値以下であるか否かを判定し、受信レベルが基準値以下であれば機能回路（３０１）を制御することになる。なお、基準値は、任意に設定変更することが可能である。
【００３３】
また、機能回路（３０１）を制御する際の制御動作としては、以下の制御が挙げられる。
【００３４】
（第１の制御）・・・機能回路（３０１）の機能を停止させる。
（第２の制御）・・・機能回路（３０１）を制御するクロック周波数を低い周波数に変更する。
（第３の制御）・・・機能回路（３０１）を制御するクロック周波数を、当該クロック周波数の高調波と、無線装置（１０１）が受信する電波の受信周波数帯域と、が重複しない周波数に変更する。
（第４の制御）・・・機能回路（３０１）の動作時間を短くする。
【００３５】
機能回路（３０１）は、ＬＣＤ、ＧＰＳ、カメラ、ＬＥＤ、外部メモリなど、無線通信時に直接使用しない無線通信以外の機能を司る回路である。なお、無線回路（３０１）は、無線回路（３０１）の動作時に、無線通信に悪影響を与える雑音を発生する。
【００３６】
＜無線装置１０１における制御動作＞
次に、図２を参照しながら、本実施形態の無線装置（１０１）における制御動作について説明する。なお、図２は、機能回路（３０１）の機能を停止させる場合（第１の制御）の処理動作を示すフローチャートである。
【００３７】
まず、基地局より着信要求があった場合（ステップＳ１）、無線装置（１０１）は、無線装置（１０１）が受信した電波の受信レベルが基準値以下であるか否かを判定する（ステップＳ２）。
【００３８】
無線装置（１０１）は、電波の受信レベルが基準値以下であると判定した場合は（ステップＳ２／Ｙｅｓ）、制御回路（２０２）より機能回路（３０１）に命令を送り、機能回路（３０１）の機能を停止させる（ステップＳ３）。その後、無線装置（１０１）は、着信処理を行うことになる（ステップＳ４）。
【００３９】
また、無線装置（１０１）は、電波の受信レベルが基準値以下でないと判定した場合は（ステップＳ２／Ｎｏ）、機能回路（３０１）の機能を停止させずに、着信処理を行うことになる（ステップＳ４）。
【００４０】
このように、本実施形態における無線装置（１０１）は、着信要求を受け付けた場合に、無線装置（１０１）が受信する電波の受信レベルが基準値以下の場合には、無線通信以外の制御を行う機能回路（３０１）の機能を停止することで、無線装置（１０１）が受信する電波の受信レベルが低い環境下でも、着信の接続成功率を向上させることが可能となる。また、機能回路（３０１）の機能を停止することで、消費電流を削減することが可能となる。
【００４１】
（第２の実施形態）
次に、第２の実施形態について説明する。
【００４２】
第１の実施形態では、着信要求を受け付けた場合に、機能回路（３０１）の機能を停止させる場合（第１の制御）について説明したが、第２の実施形態では、着信要求を受け付けた場合に、機能回路（３０１）を制御するクロック周波数を低い周波数に変更する（第２の制御）ことを特徴とする。
【００４３】
これにより、無線装置（１０１）が受信する電波の受信レベルが低い環境下でも、着信の接続成功率を向上させることが可能となる。以下、図３、図４を参照しながら、第２の実施形態について説明する。
【００４４】
なお、図３は、機能回路（３０１）を制御するクロック周波数を低い周波数に変更する場合（第２の制御）の処理動作を示すフローチャートである。また、図４は、機能回路（３０１）を制御するクロック周波数を変更する場合の概念図を示す。
【００４５】
まず、図３を参照しながら、第２の実施形態の無線装置（１０１）における制御動作について説明する。
【００４６】
第２の実施形態の無線装置（１０１）における制御動作は、図３に示すように、上述した図２に示す第１の実施形態におけるステップＳ３において、機能回路（３０１）を制御するクロック周波数を低い周波数に変更する。なお、他の工程は、上述した第１の実施形態と同様な処理を行うことになる。
【００４７】
次に、図４（ａ，ｂ）を参照しながら、機能回路（３０１）を制御するクロック周波数を低い周波数に変更する際の制御動作について詳細に説明する。
【００４８】
図４（ａ）は、無線装置（１０１）が待ち受け状態、あるいは、無線装置（１０１）が受信する電波の受信レベルが高い環境下にある場合に、無線装置（１０１）が受信した電波の受信周波数帯に、機能回路（３０１）のクロック周波数の高調波が存在する場合を示している。
【００４９】
もし、無線装置（１０１）が受信する電波の受信レベルが十分高ければ、図４（ａ）に示すように、無線装置（１０１）が受信した電波の受信周波数帯に、機能回路（３０１）のクロック周波数の高調波が存在していても、無線装置（１０１）は、機能回路（３０１）の動作中に発生する雑音の影響を受けずに、着信が成功する。
【００５０】
しかしながら、無線装置（１０１）が受信する電波の受信レベルが低ければ、図４（ａ）に示すように、無線装置（１０１）が受信した電波の受信周波数帯に、機能回路（３０１）のクロック周波数の高調波が存在していた場合には、無線装置（１０１）は、機能回路（３０１）の動作中に発生する雑音の影響を受けることになり、無線装置（１０１）が受信した信号が雑音に埋もれてしまい、着信が失敗してしまうことになる。
【００５１】
このため、図４（ｂ）に示すように、機能回路（３０１）のクロック周波数を低い周波数に変更し、クロック周波数の高調波レベルを低減し、無線装置（１０１）が受信した信号が雑音の影響を受けないようにする。これにより、無線装置（１０１）が受信する電波の受信レベルが低い環境下でも、着信の接続成功率を向上させることが可能となる。
【００５２】
なお、図４（ｂ）の方法としては、例えば、ＬＣＤが待ち受け状態の場合には、解像度の高いＶＧＡ表示（クロック周波数＝高）で、着信時は、解像度の低いＱＶＧＡ表示（クロック周波数＝低）に変更するといった例が挙げられる。
【００５３】
このように、第２の実施形態の通信装置（１０１）は、着信要求を受け付けた場合に、機能回路（３０１）を制御するクロック周波数を低い周波数に変更することで、無線装置（１０１）が受信する電波の受信レベルが低い環境下でも、着信の接続成功率を向上させることが可能となる。また、機能回路（３０１）を制御するクロック周波数を低い周波数に変更することで、消費電流を削減することが可能となる。
【００５４】
（第３の実施形態）
次に、第３の実施形態について説明する。
【００５５】
第３の実施形態は、着信要求を受け付けた場合に、機能回路（３０１）を制御するクロック周波数を、当該クロック周波数の高調波と、無線装置（１０１）が受信する電波の受信周波数帯域と、が重複しない周波数に変更する（第３の制御）ことを特徴とする。
【００５６】
これにより、無線装置（１０１）が受信する電波の受信レベルが低い環境下でも、着信の接続成功率を向上させることが可能となる。以下、図４、図５を参照しながら、第３の実施形態について説明する。
【００５７】
なお、図５は、機能回路（３０１）を制御するクロック周波数を、当該クロック周波数の高調波と、無線装置（１０１）が受信する電波の受信周波数帯域と、が重複しない周波数に変更する場合（第３の制御）の処理動作を示すフローチャートである。
【００５８】
まず、図５を参照しながら、第３の実施形態の無線装置（１０１）における制御動作について説明する。
【００５９】
第３の実施形態の無線装置（１０１）における制御動作は、図５に示すように、上述した図２に示す第１の実施形態におけるステップＳ３において、機能回路（３０１）を制御するクロック周波数を、当該クロック周波数の高調波と、無線装置（１０１）が受信する電波の受信周波数帯域と、が重複しない周波数に変更する。なお、他の工程は、上述した第１の実施形態と同様な処理を行うことになる。
【００６０】
次に、図４（ａ，ｃ）を参照しながら、機能回路（３０１）を制御するクロック周波数を、当該クロック周波数の高調波と、無線装置（１０１）が受信する電波の受信周波数帯域と、が重複しない周波数に変更する際の制御動作について詳細に説明する。
【００６１】
もし、無線装置（１０１）が受信する電波の受信レベルが十分高ければ、図４（ａ）に示すように、無線装置（１０１）が受信した電波の受信周波数帯に、機能回路（３０１）のクロック周波数の高調波が存在していても、無線装置（１０１）は、機能回路（３０１）の動作中に発生する雑音の影響を受けずに、着信が成功する。
【００６２】
しかしながら、無線装置（１０１）が受信する電波の受信レベルが低ければ、図４（ａ）に示すように、無線装置（１０１）が受信した電波の受信周波数帯に、機能回路（３０１）のクロック周波数の高調波が存在していた場合には、無線装置（１０１）は、機能回路（３０１）の動作中に発生する雑音の影響を受けることになり、無線装置（１０１）が受信した信号が雑音に埋もれてしまい、着信が失敗してしまうことになる。
【００６３】
このため、図４（ｃ）に示すように、機能回路（３０１）を制御するクロック周波数を、当該クロック周波数の高調波と、無線装置（１０１）が受信する電波の受信周波数帯域と、が重複しない周波数に変更し、無線装置（１０１）が受信した信号が雑音の影響を受けないようにする。これにより、無線装置（１０１）が受信する電波の受信レベルが低い環境下でも、着信の接続成功率を向上させることが可能となる。
【００６４】
このように、第３の実施形態の通信装置（１０１）は、着信要求を受け付けた場合に、機能回路（３０１）を制御するクロック周波数を、当該クロック周波数の高調波と、無線装置（１０１）が受信する電波の受信周波数帯域と、が重複しない周波数に変更することで、無線装置（１０１）が受信する電波の受信レベルが低い環境下でも、着信の接続成功率を向上させることが可能となる。
【００６５】
（第４の実施形態）
次に、第４の実施形態について説明する。
【００６６】
第４の実施形態は、着信要求を受け付けた場合に、機能回路（３０１）の動作時間を短くする（第４の制御）ことを特徴とする。
【００６７】
これにより、無線装置（１０１）が受信する電波の受信レベルが低い環境下でも、着信の接続成功率を向上させることが可能となる。以下、図６、図７を参照しながら、第４の実施形態について説明する。
【００６８】
なお、図６は、機能回路（３０１）の動作時間を短くする場合（第４の制御）の処理動作を示すフローチャートである。また、図７は、機能回路（３０１）の動作時間を短くする場合の概念図を示す。
【００６９】
まず、図６を参照しながら、第４の実施形態の無線装置（１０１）における制御動作について説明する。
【００７０】
第４の実施形態の無線装置（１０１）における制御動作は、図６に示すように、上述した図２に示す第１の実施形態におけるステップＳ３において、機能回路（３０１）の動作時間を短くする。なお、他の工程は、上述した第１の実施形態と同様な処理を行うことになる。
【００７１】
次に、図７を参照しながら、機能回路（３０１）の動作時間を短くする際の制御動作について詳細に説明する。
【００７２】
もし、無線装置（１０１）が受信する電波の受信レベルが十分高ければ、図７（ａ）に示すように、機能回路（３０１）を常時動作させていても、無線装置（１０１）は、機能回路（３０１）の動作中に発生する雑音の影響を受けずに、着信が成功する。
【００７３】
しかしながら、無線装置（１０１）が受信する電波の受信レベルが低ければ、図７（ａ）に示すように、機能回路（３０１）を常時動作させていた場合には、無線装置（１０１）は、機能回路（３０１）の動作中に発生する雑音の影響を受けることになり、無線装置（１０１）が受信した信号が雑音に埋もれてしまい、着信が失敗してしまうことになる。
【００７４】
このため、図７（ｂ）に示すように、機能回路（３０１）の動作時間を短くし、無線装置（１０１）が受信した信号が雑音の影響を受けないようにする。これにより、無線装置（１０１）が受信する電波の受信レベルが低い環境下でも、着信の接続成功率を向上させることが可能となる。
【００７５】
なお、図７の方法は、例えば、着信時に着信音の鳴る間隔を長くするという例が挙げられる。
【００７６】
また、図７の方法は、例えば、ＴＶ電話中に受信レベルが高い環境下にある場合には、カメラのフレームレートを３０fpsとし、受信レベルが低い環境下に移動した場合には、フレームレートを１５fpsに落とすという例が挙げられる。
【００７７】
このように、第４の実施形態の通信装置（１０１）は、着信要求を受け付けた場合に、機能回路（３０１）の動作時間を短くすることで、無線装置（１０１）が受信する電波の受信レベルが低い環境下でも、着信の接続成功率を向上させることが可能となる。
【００７８】
（第５の実施形態）
次に、第５の実施形態について説明する。
【００７９】
第５の実施形態における無線装置（１０２）は、複数の機能回路（３０１〜ｎ：ｎは、任意の整数）を有し、無線装置（１０２）は、無線装置（１０２）が受信した電波の受信レベルに応じて、機能回路（３０１〜ｎ）を制御する数を変更することを特徴とする。
【００８０】
これにより、無線装置（１０２）は、無線装置（１０２）が受信した電波の受信レベルに応じて、機能回路（３０１〜ｎ）を制御する数を変更することが可能となるため、無線装置（１０２）が受信する電波の受信レベルが低い環境下でも、効率的に、着信の接続成功率を向上させることが可能となる。以下、図８、図９を参照しながら、第５の実施形態について説明する。
【００８１】
なお、図８は、本実施形態の無線装置（１０２）の構成を示す図である。また、図９は、本実施形態の無線装置（１０２）における制御動作を示すフローチャートである。
【００８２】
＜無線装置１０２の構成＞
まず、図８を参照しながら、本実施形態の無線装置（１０２）の構成について説明する。
【００８３】
本実施形態における無線装置（１０２）は、アンテナ（♯１）と、無線回路（２０１）と、制御回路（２０２）と、複数の機能回路（３０１〜ｎ：ｎは、任意の整数）と、を有して構成している。
【００８４】
なお、本実施形態における無線装置（１０２）は、図１に示す第１の実施形態における無線装置（１０１）において、複数の機能回路（３０１〜ｎ）を有して構成している点が相違する。なお、機能回路（３０１）、機能回路（３０２）、・・・、機能回路（３０ｎ）のｎ個の機能回路（３０１〜ｎ）は、通信に悪影響を与える雑音を発生する。
【００８５】
次に、図９を参照しながら、本実施形態の無線装置（１０２）における制御動作について詳細に説明する。
【００８６】
まず、基地局より着信要求があった場合（ステップＳ１１）、無線装置（１０２）は、無線装置（１０２）が受信した電波の受信レベルを測定する（ステップＳ１２）。
【００８７】
無線装置（１０２）は、無線装置（１０２）が受信した電波の受信レベルがＮ１以上である場合には『受信レベル≧Ｎ１』、機能回路（３０１）の機能を停止させずに、着信処理を行うことになる（ステップＳ１９）。
【００８８】
また、無線装置（１０２）は、無線装置（１０２）が受信した電波の受信レベルがＮ２以上である場合には『Ｎ１＞受信レベル≧Ｎ２』、機能回路（３０１）の機能を停止し（ステップＳ１３）、着信処理を行うことになる（ステップＳ１９）。
【００８９】
また、無線装置（１０２）は、無線装置（１０２）が受信した電波の受信レベルがＮ３以上である場合には『Ｎ２＞受信レベル≧Ｎ３』、機能回路（３０１）と機能回路（３０２）との機能を停止し（ステップＳ１４、ステップ１５）、着信処理を行うことになる（ステップＳ１９）。
【００９０】
また、無線装置（１０２）は、無線装置（１０２）が受信した電波の受信レベルがＮｎ未満である場合には『Ｎｎ＞受信レベル』、機能回路（３０１）〜機能回路（３０ｎ）の機能を停止し（ステップＳ１６〜ステップＳ１８）、着信処理を行うことになる（ステップＳ１９）。
【００９１】
このように、本実施形態における無線装置（１０２）は、着信要求を受け付けた場合に、無線装置（１０２）が受信する電波の受信レベルを測定し、該測定した受信レベルに応じて、機能回路（３０１〜ｎ）の機能を停止する数を変更することで、無線装置（１０２）が受信する電波の受信レベルが低い環境下でも、効率的に、着信の接続成功率を向上させることが可能となる。
【００９２】
なお、上述した第５の実施形態においては、機能回路（３０１〜ｎ）の機能を停止することにしたが（第１の制御）、各機能回路（３０１〜ｎ）を制御する際の制御方法は、機能回路（３０１〜ｎ）の機能を停止する処理（第１の制御）に限定するものではなく、例えば、第２の制御『機能回路（３０１）を制御するクロック周波数を低い周波数に変更する処理』、第３の制御『機能回路（３０１）を制御するクロック周波数を、当該クロック周波数の高調波と、無線装置（１０１）が受信する電波の受信周波数帯域と、が重複しない周波数に変更する処理』、第４の制御『機能回路（３０１）の動作時間を短くする処理』を行うようにすることも可能であり、また、各機能回路（３０１〜ｎ）において行う制御を任意に設定変更することも可能である。なお、各機能回路（３０１〜ｎ）において行う制御は、通信に悪影響を与える雑音レベルに応じて設定することが好ましい。
【００９３】
また、上述した第５の実施形態においては、機能回路（３０１）→機能回路（３０２）→・・・機能回路（３０ｎ）の順に制御したが、機能回路（３０１〜ｎ）を制御する順番も任意に設定変更することも可能である。この場合は、通信に悪影響を与える雑音レベルが高いものから優先的に行うように構築することが好ましい。
【００９４】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００９５】
例えば、上述した実施形態においては、着信要求を受け付けた場合について説明したが、無線通信中においても同様の処理を行うように構築することが可能である。これにより、無線装置（１０１、１０２）が受信する電波の受信レベルが低い環境下でも、通信持続率を向上することが可能となる。
【００９６】
また、上述した実施形態における無線装置（１０１、１０２）における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した無線装置（１０１、１０２）に読み込ませることで、上述した制御動作を、無線装置（１０１、１０２）において実行させることも可能である。また、所定のネットワークを介して接続されている外部機器から上記プログラムを上述した無線装置（１０１、２０１）に読み込ませることで、上述した制御動作を、無線装置（１０１、１０２）において実行させることも可能である。
【産業上の利用可能性】
【００９７】
本発明にかかる無線装置、通信制御方法及び通信制御プログラムは、特に、ブラウザ、ＴＶ視聴機能、音楽再生機能、ＧＰＳなど、複数の機能を搭載した無線装置に適用可能である。
【図面の簡単な説明】
【００９８】
【図１】本実施形態の無線装置（１０１）の構成を示すブロック図である。
【図２】本実施形態における無線装置（１０１）の制御動作を示すフローチャートであり、機能回路（３０１）の機能を停止させる場合（第１の制御）の処理動作を示す。
【図３】第２の実施形態における無線装置（１０１）の制御動作を示すフローチャートであり、機能回路（３０１）を制御するクロック周波数を低い周波数に変更する場合（第２の制御）の処理動作を示す。
【図４】機能回路（３０１）を制御するクロック周波数を変更する場合の概念図である。
【図５】第３の実施形態における無線装置（１０１）の制御動作を示すフローチャートであり、機能回路（３０１）を制御するクロック周波数を、当該クロック周波数の高調波と、無線装置（１０１）が受信する電波の受信周波数帯域と、が重複しない周波数に変更する場合（第３の制御）の処理動作を示す。
【図６】第４の実施形態における無線装置（１０１）の制御動作を示すフローチャートであり、機能回路（３０１）の動作時間を短くする場合（第４の制御）の処理動作を示す。
【図７】機能回路（３０１）の動作時間を短くする場合の概念図である。
【図８】第５の実施形態の無線装置（１０２）の構成を示すブロック図である。
【図９】第５の実施形態における無線装置（１０２）の制御動作を示すフローチャートであり、機能回路（３０１〜ｎ）の機能を停止させる場合（第１の制御）の処理動作を示す。
【符号の説明】
【００９９】
１０１、１０２    無線装置
２０１    無線回路
２０２    制御回路
３０１〜ｎ    機能回路
【図１】
2008177776.tif 000003
【図２】
2008177776.tif 000004
【図３】
2008177776.tif 000005
【図４】
2008177776.tif 000006
【図５】
2008177776.tif 000007
【図６】
2008177776.tif 000008
【図７】
2008177776.tif 000009
【図８】
2008177776.tif 000010
【図９】
2008177776.tif 000011